(57)【要約】      （修正有）【課題】ハンドバッグ等に収容して持ち歩く携帯用として好適なスリム形態の携帯用電解水噴霧器を提供する。【解決手段】中間部に上面開口の筒状水タンク部２、下部に電源部３、上部に噴霧機構部を配置した外観筒状で、水タンク部の水が下部から流入し上面開口から噴霧機構部へ流出する筒状電解部５が水タンク部内に水タンク部の軸方向に配置され、筒状電解部は内部に電極６を配置し、水タンク部の上面開口部には、水タンク部内の水を押圧しつつ電解部の電解水が先端のノズルから噴霧される噴霧機構部が水密状態に着脱自在結合であること。【選択図】図１
2011092883.tif 000002
【特許請求の範囲】
【請求項１】
外観筒状をなし、中間部に筒状水タンク部を配置し、前記筒状水タンク部の軸方向の一方側に噴霧機構部を他方側に電源部を配置し、前記水タンク部内には前記水タンク部から流入した水を前記電源部から供給される電力によって電気分解する電極を含む筒状電解部を備え、前記筒状電解部は、前記水タンク部内の中央部に前記水タンク部の軸方向に配置されると共に、前記水タンク部の水が前記噴霧機構部よりも遠い側から流入し前記噴霧機構部へ流出する水の流通路を形成し、前記水タンク部の一方側に水補給開口を備え、前記水補給開口を開閉するように前記噴霧機構部の手動操作にて前記水タンク部内の水を押圧しつつ前記電解部の電解水を先端のノズルから噴霧するよう前記噴霧機構部が水密状態に着脱自在に結合されていることを特徴とする携帯用電解水噴霧器。
【請求項２】
外観筒状をなし、中間部に筒状水タンク部を配置し、下部に電源部を配置し、上部に噴霧機構部を配置した構成であり、前記水タンク部内の中央部には前記水タンク部の水が下部から流入し上部から前記噴霧機構部へ流出する筒状電解部が前記水タンク部の軸方向に配置され、前記筒状電解部はその内部に前記筒状電解部の軸方向に対向して延びるプラス電極とマイナス電極が前記電源部から電力が供給される状態に配置され、前記水タンク部から流入した水を電気分解にて電解水を生成する領域であり、前記水タンク部は上部に水補給開口を備え、前記水補給開口を開閉するように前記水タンク部は上部に前記噴霧機構部の手動操作にて前記水タンク部内の水を押圧しつつ前記電解部の電解水を先端のノズルから噴霧する前記噴霧機構部が水密状態に着脱自在に結合されていることを特徴とする携帯用電解水噴霧器。
【請求項３】
前記筒状電解部の上部と下部は、前記水タンク部の上部支持部と下部支持部に取り付けられ、前記水タンク部の水が前記筒状電解部の下部から前記筒状電解部内へ流入し上部から前記噴霧機構部へ流出することを特徴とする請求項１または請求項２に記載の携帯用電解水噴霧器。
【請求項４】
前記水タンク部の水が前記電解部の下部から流入し前記噴霧機構部へ流出する際の前記電解部内の水の流通路は、前記電解部のプラス電極とマイナス電極の対向面間のみで形成されたことを特徴とする請求項１乃至請求項３のいずれかに記載の携帯用電解水噴霧器。
【請求項５】
前記筒状水タンク部が内部の水を透視可能な透明材で形成されたことを特徴とする請求項１乃至請求項４のいずれかに記載の携帯用電解水噴霧器。
【請求項６】
前記電源部の外周面には、ＯＮ操作にて前記電源部から前記電極への電力供給を開始する手動スイッチを設け、前記手動スイッチのＯＮ操作ごとに前記電源部から前記電極への電力供給を所定時間行なうタイマ制御手段を前記電源部が備えたことを特徴とする請求項１乃至請求項５のいずれかに記載の携帯用電解水噴霧器。
【請求項７】
前記筒状水タンク部、前記電源部、及び前記噴霧機構部が別個に形成され、前記筒状水タンク部と前記電源部が固定的に水密結合され、前記筒状水タンク部と前記噴霧機構部が着脱自在に水密結合され、前記電源部及び前記手動スイッチが防水構造であることを特徴とする請求項６に記載の携帯用電解水噴霧器。
【請求項８】
前記電解部で生成される電解水は、除菌効果を奏するオゾン水であることを特徴とする請求項１乃至請求項７のいずれかに記載の携帯用電解水噴霧器。
【発明の詳細な説明】
【技術分野】
【０００１】
本発明は、被電解水を電気分解して生成した電解水をスプレー部から噴霧する電解水噴霧器に関し、特に、ハンドバッグ等に収容して持ち歩き、任意の部位に電解水を噴霧してその部位を除菌することに適する携帯用電解水噴霧器に関する。
【背景技術】
【０００２】
インフルエンザ等の流行により、病院や人が出入りする公共施設、または家庭の棚等に設置して手指等を除菌または殺菌する器具があり、その一つとして、被電解水を電気分解して生成した電解水をスプレー部から噴霧する電解水噴霧器の技術が存在する。その電解水噴霧器の一つに、被電解水として容器に収容した塩素化合物の溶液を電気分解し、次亜塩素酸またはその塩の溶液である電解水を生成して、これをスプレー部から噴霧する次亜塩素酸生成噴霧器がある（特許文献１参照）。
【０００３】
これは多量の塩素化合物の溶液を容器に収容し、この容器の上端にトリガスプレーヤーを着脱自在に取り付け、この取り付けによってトリガスプレーヤーから延びたディップチューブが容器内の塩素化合物の溶液に浸り、指でピストルの引き金を引くようにトリガを操作することにより、１回のトリガ操作によって、０．１ｍｌ〜１ｍｌの塩素化合物の溶液が容器内から汲み上げられてノズルから噴霧されるものである。
【０００４】
また、電解水噴霧器の他の形態として、略円筒状の容器本体２Ａの上面と下面に２段円筒状のキャップ２Ｂと円板状のキャップ２Ｃが取り付けられて容器２を構成し、この容器２の上部に、噴霧機構である手動スプレーポンプ３が取り付けられたものがある。これは、容器本体２Ａの上面に形成した隔壁６の上側に、キャップ２Ｂ内に電解溶液を貯留するタンク４が形成され、この隔壁６の下側で容器２内に電解槽５が形成され、手動スプレーポンプ３から下方へ延びたノズル３ａが容器２の中心に配置され、手動スプレーポンプ３を押し圧操作するごとに、電解槽５の電解水が所定量、ノズル３ａに吸引されて噴霧口３ｂから噴霧される構成の電解水生成噴霧器である（特許文献２参照）。
【０００５】
特許文献２のものは、容器２の容器本体２Ａ内は、上部に電解槽５が形成され、電解槽５の下方に２本のバッテリとバッテリの電流を制御する基板が背中合わせに配置され、バッテリと基板の下方を下部のキャップ２Ｃが覆う構成である。
【０００６】
即ち、特許文献２のものは、被電解水を入れるタンク４と電解槽５が上下関係の配置となるように、タンク４がキャップ２Ｂ内に形成され、電解槽５が容器本体２Ａに形成された状態で、容器本体２Ａの上端にキャップ２Ｂがネジ結合される構成である。そして、手動スプレーポンプ３から下方へ延びたノズル３ａが容器２の中心に配置されるために、電解槽５が容器本体２Ａの上部の一方に偏った位置に配置されている。
【先行技術文献】
【特許文献】
【０００７】
【特許文献１】特開２００４−１３０２６３号公報
【特許文献２】特開２００９−１５４０３０号公報
【発明の概要】
【発明が解決しようとする課題】
【０００８】
この特許文献１のものは、図示された全体形態からして、病院や人が出入りする公共施設や病院、または家庭等の棚等に設置して使用するものであり、携帯用として開発されたものではないことが、一見して判明する。
【０００９】
また特許文献２のものは、上記のように、被電解水を入れるタンク４がキャップ２Ｂ内に形成され、電解水を生成する電解槽５が容器本体２Ａに形成されているため、タンク４と電解槽５が上下に分離し、それが結合される関係である。このため、タンク４に被電解水を入れる場合は、容器本体２Ａからキャップ２Ｂを取り外し、タンク４に被電解水を入れた状態で、容器本体２Ａを逆さま状態でもって、容器本体２Ａとキャップ２Ｂとをネジ結合することとなり、被電解水の補充操作を行い難いこと、また、容器本体２Ａの電解槽５に電解水が残っておれば、この電解水が零れ落ちることが懸念される。
【００１０】
特許文献２のものは、手動スプレーポンプ３から下方へ延びたノズル３ａが容器２の中心に配置されるために、電解槽５が容器本体２Ａの上部の一方に偏った位置に配置されること、更に、電解槽５の下方に２本のバッテリとバッテリの電流を制御する基板が背中合わせに配置されるものであり、これらの構成によって容器２の直径が大きくなる。これらの点は、携帯用を創造するときの支障となるものである。
【００１１】
上記の点及び全体形態からして、特許文献２のものは、病院や人が出入りする公共施設や病院、または家庭等の棚等に設置して使用するものであり、携帯用として開発されたものではないことが、一見して判明する。
【００１２】
最近、インフルエンザ等の流行により、手指や出先での便座等を手軽に除菌することが望まれる。このような点に着目して、本発明は、ハンドバッグ等に収容して持ち歩き、手指や出先での便座等の任意の部位を手軽に除菌することに適する携帯用電解水噴霧器を提供するものである。
【００１３】
本発明は、ハンドバッグ等に収容して持ち歩く携帯用として好適なスリム形態を達成するために、各部の機能部分の構成及びそれらの配置構成に特徴を有し、特許文献２のもののように、被電解水を入れるタンクと電解水を生成する電解槽が分離し結合される形態ではなく、タンクと電解槽が一体化された状態での水の補給ができる構成とし、タンクへの水の補給時に、残っている電解水が零れないような構成の新規な携帯用電解水噴霧器を提供するものである。
【００１４】
また本発明では、板状電極間が電解水の生成領域を形成するように、水タンク部の中心部に電解部を配置することにより、噴霧機構部の作動によって水タンク部の水が噴霧機構部へ流れる水の流通路形成がし易く、コンパクト構成の達成によって、携帯用電解水噴霧器の小型化を図るものである。
【課題を解決するための手段】
【００１５】
第１発明の携帯用電解水噴霧器は、外観筒状をなし、中間部に筒状水タンク部を配置し、前記筒状水タンク部の軸方向の一方側に噴霧機構部を他方側に電源部を配置し、前記水タンク部内には前記水タンク部から流入した水を前記電源部から供給される電力によって電気分解する電極を含む筒状電解部を備え、前記筒状電解部は、前記水タンク部内の中央部に前記水タンク部の軸方向に配置されると共に、前記水タンク部の水が前記噴霧機構部よりも遠い側から流入し前記噴霧機構部へ流出する水の流通路を形成し、前記水タンク部の一方側に水補給開口を備え、前記水補給開口を開閉するように前記噴霧機構部の手動操作にて前記水タンク部内の水を押圧しつつ前記電解部の電解水を先端のノズルから噴霧するよう前記噴霧機構部が水密状態に着脱自在に結合されていることを特徴とする。
【００１６】
第２発明の携帯用電解水噴霧器は、外観筒状をなし、中間部に筒状水タンク部を配置し、下部に電源部を配置し、上部に噴霧機構部を配置した構成であり、前記水タンク部内の中央部には前記水タンク部の水が下部から流入し上部から前記噴霧機構部へ流出する筒状電解部が前記水タンク部の軸方向に配置され、前記筒状電解部はその内部に前記筒状電解部の軸方向に対向して延びるプラス電極とマイナス電極が前記電源部から電力が供給される状態に配置され、前記水タンク部から流入した水を電気分解にて電解水を生成する領域であり、前記水タンク部は上部に水補給開口を備え、前記水補給開口を開閉するように前記水タンク部は上部に前記噴霧機構部の手動操作にて前記水タンク部内の水を押圧しつつ前記電解部の電解水を先端のノズルから噴霧する前記噴霧機構部が水密状態に着脱自在に結合されていることを特徴とする。
【００１７】
第３発明の携帯用電解水噴霧器は、第１発明または第２発明において、前記筒状電解部の上部と下部は、前記水タンク部の上部支持部と下部支持部に取り付けられ、前記水タンク部の水が前記筒状電解部の下部から前記筒状電解部内へ流入し上部から前記噴霧機構部へ流出することを特徴とする。
【００１８】
第４発明の携帯用電解水噴霧器は、第１発明乃至第３発明のいずれかにおいて、前記水タンク部の水が前記電解部の下部から流入し前記噴霧機構部へ流出する際の前記電解部内の水の流通路は、前記電解部のプラス電極とマイナス電極の対向面間のみで形成されたことを特徴とする。
【００１９】
第５発明の携帯用電解水噴霧器は、第１発明乃至第３発明のいずれかにおいて、前記筒状水タンク部が内部の水を透視可能な透明材で形成されたことを特徴とする。
【００２０】
第６発明の携帯用電解水噴霧器は、第１発明乃至第５発明のいずれかにおいて、前記電源部の外周面には、ＯＮ操作にて前記電源部から前記電極への電力供給を開始する手動スイッチを設け、前記手動スイッチのＯＮ操作ごとに前記電源部から前記電極への電力供給を所定時間行なうタイマ制御手段を前記電源部が備えたことを特徴とする。
【００２１】
第７発明の携帯用電解水噴霧器は、第６発明において、前記筒状水タンク部、前記電源部、及び前記噴霧機構部が別個に形成され、前記筒状水タンク部と前記電源部が固定的に水密結合され、前記筒状水タンク部と前記噴霧機構部が着脱自在に水密結合され、前記電源部及び前記手動スイッチが防水構造であることを特徴とする。
【００２２】
第８発明の携帯用電解水噴霧器は、第１発明乃至第７発明のいずれかにおいて、前記電解部で生成される電解水は、除菌効果を奏するオゾン水であることを特徴とする。
【発明の効果】
【００２３】
本発明は、インフルエンザ等の流行により、手指や出先での便座等を手軽に除菌することへの適用のために、ハンドバッグ等に収容して持ち歩き、手指や出先での便座等の任意の部位を手軽に除菌することに適する携帯用電解水噴霧器を提供できるものとなる。
【００２４】
本発明では、水タンク部内の中央部に水タンク部の水が下部から流入し噴霧機構部へ流出する筒状電解部を設け、水タンク部の開口に筒状電解部で生成した電解水を先端のノズルから噴霧する噴霧機構部が水密状態に着脱自在結合であるため、被電解水を入れるタンクと電解水を生成する電解槽が分離し結合される形態ではなく、タンクと電解槽が一体化された状態での水の補給ができるため、水の補給時に残っている電解水が零れない状態での水の補充が容易となる。
【００２５】
本発明では、水タンク部内において、電解部と電解部へ供給する水を溜める水タンク部との区分ができ、電解部で作った電解水の水タンク部への対流を抑制でき、その都度生成した所定濃度の電解水を噴霧でき、所期の除菌効果を得ることができる。
【００２６】
本発明では、また、電解部内の水の流通路が電解部のプラス電極とマイナス電極の対向面間のみで形成されることにより、電解部の小型化によりタンク部の小型化が達成され、携帯用電解水噴霧器の小型化を図ることができる。
【００２７】
本発明では、電解水は除菌効果を奏するオゾン水であるため、アルコールのような特殊な溶液でなくても、どこでも入手可能な水道水やミネラルウォータによって効果を発揮することができる。
【図面の簡単な説明】
【００２８】
【図１】本発明に係る携帯用電解水噴霧器の内部構成を示す説明図である。
【図２】本発明に係る携帯用電解水噴霧器の電解部と電源部の関係を示す説明図である。
【図３】本発明に係る携帯用電解水噴霧器の内部構成の第１実施形態を断面で示す説明図である。
【図４】図３の第１実施形態のプッシュ部をプッシュした状態の説明図である。
【図５】図３の第１実施形態のプッシュ部をプッシュした状態の電解水の流出部の拡大図である。
【図６】図３の第１実施形態の連通路部材を貫通した空気の連通路の拡大図である。
【図７】本発明に係る携帯用電解水噴霧器の内部構成の第２実施形態を断面で示す説明図である。
【図８】図７の第２実施形態のプッシュ部をプッシュした状態の説明図である。
【図９】本発明に係る携帯用電解水噴霧器の電解部の３枚電極構成を示す横断面図である。
【図１０】本発明に係る携帯用電解水噴霧器の電解部の５枚電極構成を示す横断面図である。
【図１１】本発明に係る携帯用電解水噴霧器の電解部の４枚電極構成を示す横断面図である。
【図１２】本発明に係る携帯用電解水噴霧器の電解部のプラス電極とマイナス電極が同軸配置の円筒形である電極構成を示す説明図である。
【図１３】本発明に係る携帯用電解水噴霧器の電解部のプラス電極とマイナス電極一方が円柱形でありその外側に同軸配置の円筒形である電極構成を示す説明図である。
【図１４】本発明に係る携帯用電解水噴霧器の外観図である。
【発明を実施するための形態】
【００２９】
本発明の携帯用電解水噴霧器は、外観筒状をなし、中間部に筒状水タンク部を配置し、下部に電源部を配置し、上部に噴霧機構部を配置した構成であり、前記水タンク部内の中央部には前記水タンク部の水が下部から流入し上部から前記噴霧機構部へ流出する筒状電解部が前記水タンク部の軸方向に配置され、前記筒状電解部はその内部に前記筒状電解部の軸方向に対向して延びるプラス電極とマイナス電極が前記電源部から電力が供給される状態に配置され、前記水タンク部から流入した水を電気分解にて電解水を生成する領域であり、前記水タンク部は上部に水補給開口を備え、前記水補給開口を開閉するように前記水タンク部は上部に前記噴霧機構部の手動操作にて前記水タンク部内の水を押圧しつつ前記電解部の電解水を先端のノズルから噴霧する前記噴霧機構部が水密状態に着脱自在結合の構成である。
【００３０】
なお、本発明における「除菌」とは、除菌前の菌数に比べて除菌後の菌数が、１００分の１以下になることを意味する。
【実施例１】
【００３１】
以下、本発明に係る携帯用電解水噴霧器１は、図に示すように、外観が円筒形、楕円形、多角形等の筒状をなし、中間部に上面開口２Ａの筒状水タンク部２を配置し、下部に電源部３を配置し、上部にプッシュ式噴霧機構部４を配置した構成である。図のものは、水タンク部２と電源部３の外観が、略同じ直径の円筒形本体部１Ａを形成した携帯用電解水噴霧器１を示している。
【００３２】
図３に示すように、水タンク部２内の中央部には、水タンク部２の水が下部の流入孔５Ｅから流入し上面開口５Ａから噴霧機構部４へ流出する筒状電解部５が水タンク部２の軸方向に配置され、筒状電解部５の周囲が水タンク部２の水溜め部となっており、水タンク部２の水が下部の流入孔５Ｅから電解部５へ流入する。このため、携帯用電解水噴霧器１がプッシュ式噴霧機構部４を上にした垂直状態において、電解部５と水タンク部２の水位が同レベルとなる構成である。
【００３３】
電解部５は、その内部の水に浸るように、オゾンを発生させ電解水を生成するための電解水生成用電極６が収容されており、オゾンを発生することにより除菌用電解水としてのオゾン水を生成するものである。電解部５は、プラス電極６Ａとマイナス電極６Ｂが、携帯用電解水噴霧器１の軸方向、即ち、水タンク部２の中央部に、水タンク部２の軸方向に収容された筒状電解部５を形成している。電極６は、水タンク部２の軸方向に並行に延びた２枚乃至５枚のプラス電極６Ａとマイナス電極６Ｂで構成され、１枚のプラス電極６Ａと１枚のマイナス電極６Ｂの一対で構成することもできるが、除菌用電解水を効果的に生成するためには、電極６の好ましい形態として、プラス電極６Ａとマイナス電極６Ｂが交互配置となるように、少なくとも３枚の板状電極が、所定間隔を存してその板状面が対向配置される。
【００３４】
筒状電解部５の構成として、筒状体５Ｐ内にプラス電極６Ａとマイナス電極６Ｂが所定間隔で収容された構成であり、プラス電極６Ａとマイナス電極６Ｂとの間が水の流通路となる電解室５Ｓである。プラス電極６Ａとマイナス電極６Ｂ間の電解室５Ｓ以外の部分に水が存在すると、この部分ではオゾンを含んでいない水が発生し、これがプッシュ式噴霧機構部４から噴霧されると、除菌効果が損なわれる。これを防止するために、電解部５は、プラス電極６Ａとマイナス電極６Ｂ間以外の部分を水が流れない筒状構成である。
【００３５】
電解部５の一つの実施構成として、図９に横断面で示すように、プラス電極６Ａとマイナス電極６Ｂが交互配置となるよう３枚の板状電極が絶縁材のスペーサ５Ｂを介して上下方向に略均一な所定間隔（０．１ｍｍ〜１ｍｍ）を存して対向配置され、中間の板状電極をプラス電極６Ａとし、その両側の板状電極をマイナス電極６Ｂとし、電気分解に作用しない非対向面は、絶縁材で覆うように、この３枚の電極の外周を合成樹脂製の熱収縮チューブで構成した筒状体５Ｐで覆われている。プラス電極６Ａとマイナス電極６Ｂが交互配置となるよう３枚の板状電極が絶縁性のスペーサ５Ｂを介して所定間隔に配置された状態のものを熱収縮チューブに挿入し、加熱により熱収縮チューブを収縮させることによって、熱収縮チューブが３枚の電極の周囲に密着することにより、筒状体５Ｐが形成されることとなる。これによって、プラス電極６Ａとマイナス電極６Ｂとの間で、水の流通路となる電解室５Ｓが形成され、電解室５Ｓに存在する水を電気分解してオゾンを発生させ、オゾン水としての電解水を効果的に生成することができる。そして、後述のようにプッシュ式噴霧機構部４の作動によって噴霧されるとき、実質的に電解室５Ｓ以外の部分を水が流れない筒状構成となる。
【００３６】
電解部５の軸方向に沿ったプラス電極６Ａとその両側のマイナス電極６Ｂの軸方向長さが、略電解部５の軸方向長さに亘る長さである。また、プラス電極６Ａとマイナス電極６Ｂのそれぞれの対向面の電気分解に作用する有効面積が略同じである。
【００３７】
筒状体５Ｐは絶縁材が好ましく、上記のように合成樹脂製の熱収縮チューブで構成してもよく、または、円筒形状または非円筒形状に成形した合成樹脂の成形品で構成してもよい。いずれにしても、プラス電極６Ａとマイナス電極６Ｂとの間で、水の流通路となる電解室５Ｓが形成され、実質的にプラス電極６Ａとマイナス電極６Ｂ間以外の部分を水が流れない筒状構成とすればよい。
【００３８】
電気分解を速やかに行なうため、及びまたは電解水濃度を高めるためには、図１０に示すように、プラス電極６Ａとマイナス電極６Ｂが交互配置にて、絶縁性のスペーサ５Ｂを介して５枚の板状電極が上下方向に略均一な所定間隔（０．１ｍｍ〜１ｍｍ）を存して対向配置される形態とすることもできる。図９に示す場合と同様に、筒状体５Ｐが形成される。
【００３９】
３枚の板状電極の場合も、また５枚の板状電極も、後述のように、電極６に所定電圧（実施例では、５．５Ｖ〜５．６Ｖ）を印加することによって、プラス電極６Ａとマイナス電極６Ｂとの間の電解室５Ｓに存在する水を電気分解してオゾンを発生させ、オゾン水としての電解水を効果的に生成することができる。
【００４０】
上記の場合は、電極６は、水タンク部２の軸方向に並行に延びたプラス電極６Ａとマイナス電極６Ｂが交互配置となるように、３枚または５枚の板状電極が所定間隔を存してその板状面が対向配置しているが、図１１のように、絶縁性のスペーサ５Ｂを介して４枚の板状電極が所定間隔を存してその板状面が対向するように、プラス電極６Ａとマイナス電極６Ｂが交互配置となるように構成することも可能である。また、図１１において、プラス電極６Ａの位置をマイナス電極６Ｂとし、マイナス電極６Ｂの位置をプラス電極６Ａとするように配置することもできる。図９に示す場合と同様に、筒状体５Ｐが形成される。
【００４１】
２枚の板状電極の場合も、４枚の板状電極の場合も、また５枚の板状電極の場合も、電解部５の軸方向に沿ったプラス電極６Ａとその両側のマイナス電極６Ｂの軸方向長さが、略電解部５の軸方向長さに亘る長さである。また、プラス電極６Ａとマイナス電極６Ｂのそれぞれの対向面の電気分解に作用する有効面積が略同じである。
【００４２】
上記のように、板状のプラス電極６Ａとその両側の板状のマイナス電極６Ｂ間が、電解水の生成領域を形成すると共に、噴霧機構部４の作動によって水タンク部２の水が噴霧機構部４へ流れる水の流通路を形成するため、水タンク部２の水を噴霧機構部４へ流す流路形成がし易くなり、水タンク部２の中心部に電解部５を配置するコンパクト構成が達成できる。
【００４３】
また、上記のように、電解部５の軸方向に沿ったプラス電極６Ａとその両側のマイナス電極６Ｂの軸方向長さが、略電解部５の軸方向長さに亘る長さであることによって、電解部５全体を電解領域とすることができるため、携帯用電解水噴霧器１の全体長さを短くすることができる。
【００４４】
また、上記のように、電極６は、板状プラス電極６Ａと板状マイナス電極６Ｂの対向面が電解水生成作用面であり、非対向面が絶縁材で被覆された構成であるため、対向面での電解水生成作用が効果的に行なわれるものとなる。
【００４５】
また、上記のように、プラス電極６Ａとマイナス電極６Ｂのそれぞれの対向面の電気分解に作用する有効面積が略同じであることにより、電極のコストを下げることができる。
【００４６】
また、電極６の他の形態を図１２及び図１３に示す。図１２の形態は、プラス電極６Ａとマイナス電極６Ｂは、共に同軸配置の円筒形であり、内側の円筒形がプラス電極６Ａである場合は、その外側に同軸配置の円筒形がマイナス電極６Ｂである。また、内側の円筒形がマイナス電極６Ｂである場合は、その外側に同軸配置の円筒形がプラス電極６Ａである。いずれの場合も、外側の円筒形の電極の外側面は、合成樹脂製の熱収縮チューブで構成した筒状体５Ｐで覆われるか、円筒形に成形した合成樹脂製の筒状体５Ｐで覆われる。また、他の構成として、外側の円筒形の電極が筒状体５Ｐを兼用する構成とすることができる。この場合、外側の円筒形の電極の外側面は、絶縁材の層が形成される。
【００４７】
また、図１３の形態は、プラス電極６Ａとマイナス電極６Ｂのうち、一方が円柱形であり、その外側に同軸配置の円筒形であり、中心部の円柱がプラス電極６Ａである場合は、その外側に同軸配置の円筒形がマイナス電極６Ｂである。また、中心部の円柱がマイナス電極６Ｂである場合は、その外側に同軸配置の円筒形がプラス電極６Ａである。いずれの場合も、外側の円筒形の電極の外側面は、合成樹脂製の熱収縮チューブで構成した筒状体５Ｐで覆われるか、円筒形に成形した合成樹脂製の筒状体５Ｐで覆われる。また他の構成として、外側の円筒形の電極が筒状体５Ｐを兼用する構成とすることができる。この場合、外側の円筒形の電極の外側面は、絶縁材の層が形成される。
【００４８】
水タンク部２の上面開口２Ａの周縁部には、水タンク部２内の水を押圧しつつ電解部５の電解水が先端のノズル４Ａから噴霧するための噴霧機構部４が、水タンク部２に水密状態に着脱自在結合となっている。噴霧機構部４は、種々の形態があり、市販品を採用することもできるが、図示の噴霧機構部４では、円筒形のプッシュ部４Ｐが、環状パッキン１２によって水密状態を保ちつつ、円筒形の噴霧本体部４Ｂに上下動可能に組み合わされ、プッシュ部４Ｐの側面には、小孔のノズル４Ａが開口している。噴霧本体部４Ｂの下端開口部が水タンク部２の上面開口２Ａ周縁とネジ結合部１１によって着脱自在結合となっており、噴霧本体部４Ｂと水タンク部２とは、環状パッキン１０によって水密状態である。
【００４９】
水タンク部２の上面開口２Ａには、水タンク部２内に延びた連通路部材１３が、ネジ結合や接着等にて水密状態に取り付けられている。連通路部材１３は、中心部に上下に貫通した電解水導出路７Ｂを形成している。噴霧機構部４の中心部には、ノズル４Ａへ通じるように、上下に貫通した電解水導出路７Ａが形成されている。プッシュ部４Ｐは電解水導出路７Ａが下方へ延出する延出部４Ｐ１を形成している。この延出部４Ｐ１は、電解水導出路７Ｂの上方から、連通路部材１３の電解水導出路７Ｂへ侵入して、連通路部材１３に水密状態で上下動可能に組み合わされている。これによって、電解水導出路７Ａと電解水導出路７Ｂが連通状態となって、電解部５からノズル４Ａへ通じる電解水導出路７が形成される。
【００５０】
電解水導出路７Ｂには、電解水漏洩防止機構を備えている。この電解水漏洩防止機構は、図３に示すように、プッシュ部４Ｐが押圧されないときは、コイルバネ４０によって上方へ付勢されるボール４１によって電解水導出路７Ｂを閉じている。そして、図４及び図５に示すように、プッシュ部４Ｐの押圧によって、延出部４Ｐ１がコイルバネ４０に抗してボール４１を下方へ押して電解水導出路７Ｂを開き、矢印のように電解部５の電解水が噴霧機構部４の電解水導出路７Ａへ流れる構成である。この電解水漏洩防止機構によって、プッシュ部４Ｐが押圧されない状態において、携帯用電解水噴霧器１を上下逆さまにしたとき、電解部５の電解水が電解水導出路７を通ってノズル４Ａから漏洩しないようになる。
【００５１】
噴霧本体部４Ｂ内にはポンプ室１６が形成されている。図３の構成では、噴霧本体部４Ｂ内にプッシュ部４Ｐの空気押圧部４Ｐ２と、連通路部材１３を含む水タンク部２との間にポンプ室１６が形成されている。ポンプ室１６は空気導入孔９によって外気と連通し、且つ、連通路部材１３を貫通した空気の連通路１５を通って水タンク部２内と連通している。ポンプ室１６に設けたコイルバネ８によって、プッシュ部４Ｐは本体部４Ｂから上方へ突出状態に付勢され、この状態でポンプ室１６は空気導入孔９によって外気と連通した状態である。図６に示すように、連通路１５は、略１２０度ピッチで周囲３箇所にできるだけ大きく形成されており、後述の水タンク部２内への水の補給開口としても機能する。
【００５２】
筒状電解部５は、上記のようにプラス電極６Ａとマイナス電極６Ｂが、携帯用電解水噴霧器１の軸方向、即ち、水タンク部２の中央部に、水タンク部２の軸方向となるように配置され、筒状電解部５は、下部が水タンク部２の底部に設けた下部支持部１７Ａに支持され、上部が水タンク部２の上部に設けた上部支持部１７Ｂに支持されている。図に示す形態は、下部支持部１７Ａが電源部３の後述の筺体２３の上面に一体的に矩形環状に形成された構成であるが、筺体２３とは別個に形成した下部支持部１７Ａを筺体２３の上面に取り付けた構成でもよい。また、筒状電解部５の上部は、水タンク部２の上面開口２Ａに取り付けた連通路部材１３の下部に水密状態に連結した上部支持部１７Ｂに水密状態に取り付けられている。上部支持部１７Ｂは、後述の図７に示すように、連通路部材１３の下部に一体的に形成した構成でもよい。流入口５Ｅは、下部支持部１７Ａを貫通して形成されている。このようにして、水タンク部２内と電解部５内の水の連通は流入口５Ｅのみである。
【００５３】
水タンク部２は上部に水補給開口を備え、この水補給開口を開閉するように、水タンク部２の上部にプッシュ式噴霧機構部４が水密状態に着脱自在結合である。具体的には、水タンク部２は、上記のように噴霧機構部４と着脱自在結合であり、この着脱自在結合部側に水補給開口を形成し、この水補給開口から水タンク部２への水の補給を行なえる。この水補給開口は、上面開口２Ａそのものであってもよいが、図示の構成では、主として上面開口２Ａの一部分を構成する空気の連通路１５が水補給開口として作用し、電解水導出路７Ｂの上端開口が補助的に水補給開口として作用する。水タンク部２への水の補給に際しては、水タンク部２に対して、ネジ結合部１１の結合が外れる方向へ噴霧本体部４Ｂを回転させることにより、水タンク部２と噴霧本体部４Ｂとの結合が外れるため、水タンク部２の上面開口２Ａ側の水補給開口から水タンク部２への水の補給を行うことができる。このため、水タンク部２と噴霧本体部４Ｂとの結合を外した状態で、この連通路１５と電解水導出路７Ｂを通して水タンク部２内への水の補給が行なわれる。なお、水タンク部２と噴霧本体部４Ｂとの結合を外した状態で、コイルバネ８が外れて紛失しないようにするために、コイルバネ８をプッシュ部４Ｐの空気押圧部４Ｐ２の周縁部に保持する構成となっている。
【００５４】
噴霧機構部４を水タンク部２に水密状態に取り付けた状態において、図３の状態で電解水導出路７Ａの下端部開口７Ａ１は、電解水導出路７Ｂの側壁によって塞がれている。この状態で、コイルバネ８によって本体部４Ｂから上方へ突出状態に付勢されているプッシュ部４Ｐを押圧することによって、ポンプ室１６の空気はプッシュ部４Ｐの空気押圧部４Ｐ２が空気導入孔９を通り過ぎた位置から、連通路１５を通して水タンク部２内の水面ＨＬの上面空間ＡＳに加圧空気が作用し、それによって水タンク部２内の水が流入口５Ｅから電解部５内へ押し込まれる。これと共に、電解水導出路７Ａの下端部開口７Ａ１は、図４及び図５に示すように、電解水導出路７Ｂの拡大径部分によって開放されるため、電解水導出路７Ａ、７Ｂが連通し、電解部５の電解水は電解水導出路７を通って、ノズル４Ａから噴出する。
【００５５】
携帯用電解水噴霧器１をハンドバッグなどに入れて使用しないときに、噴霧機構部４から電解水が不用意に噴出しないようするために、本体部４Ｂには、プッシュ部４Ｐを覆うノズルカバー１８が着脱自在に取り付けられている。このため、本体部４Ｂの水タンク部２寄りの外周に、環状パッキン１９が取り付けられており、プッシュ部４Ｐを覆うようにノズルカバー１８を本体部４Ｂに被せ、水タンク部２方向へ押すことにより、ノズルカバー１８が環状パッキン１９に圧接して保持される。なお、ノズルカバー１８の下部開口端部を覆うために、水タンク部２の上端には環状の保護体２０が設けられている。
【００５６】
また、携帯用電解水噴霧器１をハンドバッグなどに入れて持ち歩くときに、水タンク部２の水が空気導入孔９から流出しないようにするため、及び、水タンク部２内の気泡抜きのために、空気導入孔９には、空気は通すが水は通さない選択膜５２を設けている。
【００５７】
図７には、図３と異なる形態の電解部５の支持構成を示している。図７には、電解部５の上下方向の長さを長くするために、水タンク部２の上面開口２Ａに取り付けた連通路部材１３に一体に、上部支持部１７Ｂが形成され、上部支持部１７Ｂに電解部５の上部が支持されている。即ち、連通路部材１３が水タンク部２の上面開口２Ａに嵌合して支持され、プッシュ部４Ｐの中心部の電解水導出路７Ａ部分が連通路部材１３の中心部の電解水導出路７Ｂ部分に、上下スライド可能に嵌合し、電解水導出路７Ａ、７Ｂによって、電解水導出路７が形成されている。そして、ポンプ室１６と水タンク部２内を連通する空気の連通路１５が、上部支持部１７Ｂを兼用するた連通路部材１３を貫通して形成されている。
【００５８】
図７において、図３と同一機能部は同一符号を付しており、電解部５の構成、及びプラス電極６Ａとマイナス電極６Ｂとの間に存在する水を電気分解してオゾンを発生させ、オゾン水としての電解水を生成する構成は同じである。図７の状態で電解水導出路７Ｂの側壁によって塞がれていた電解水導出路７Ａの下端部開口７Ａ１は、プッシュ部４Ｐの押圧によって、図８に示すように、電解水導出路７Ｂの拡大径部分によって開放されるため電解水導出路７Ａ、７Ｂが連通し、電解部５の電解水は電解水導出路７Ａ、７Ｂへ押し出されてノズル４Ａから噴出する。図７の構成は、電極６の上下方向の長さが図３と同じであれば、携帯用電解水噴霧器１の全体の長さを短くすることができる。また、水タンク部２の上下方向の長さが図３と同じであれば、図７の構成では、電極６の上下方向の長さを長くできるため、水タンク部２内の高い水位の範囲まで有効に電気分解を行うことができるものとなる。
【００５９】
携帯用電解水噴霧器１の小型化を達成するためには、水タンク部２の大きさを小さくすることが望まれるが、使用性を考慮すれば、水タンク部２の内容積としては、数十回の噴霧ができる水の量を確保する必要がある。
【００６０】
携帯用電解水噴霧器１の組み立てのし易さを考慮して、電源部３は、環状パッキン２１を介して水タンク部２と相互にネジ結合部２２にて、使用者が取り外しできないように固定的に水密状態に結合されている。電源部３は、合成樹脂製の筺体２３内に、電源用電池２４、制御回路部２５、ＬＥＤ２６等が収容されている。制御回路部２５は、操作部２７Ｐによって電源部３の外面から操作されるスイッチ２７によって電源用電池２４を電源として作動して、図１に示すように、電源用電池２４から制御回路部２５へ電力が供給され、制御回路部２５から電極６へ電力が供給されるように電気的に接続される。プラス電極６Ａとマイナス電極６Ｂへ電力を供給する。電源部３は、筺体２３の外面が装飾のためにアルミニウムなどの金属製装飾体２８によって覆われている。ＬＥＤ２６は、携帯用電解水噴霧器１の外方から発光が目視できると共に、水が侵入しない防水構造によって、筺体２３内に取り付けられている。
【００６１】
電源用電池２４は、単３または単４の再充電可能な１．２ボルト〜１．５ボルトの２次電池であり、筺体２３内の電池収容部２３Ａに着脱自在に取り付けられる。電源用電池２４は、筺体２３内に形成した電池収容部２３Ａに収容された後、電源部３の下端に水密状態に取り付けられる電池カバー２９の取り付けによって、筺体２３内に保持される。この保持状態において、電源用電池２４は電池カバー２９の内側に設けたバネ３０によって押圧されて、電源用電池２４を電源とした制御回路部２５へ電力が供給され、電極６へ電力が供給可能状態となる。電池カバー２９を取り外し、電源用電池２４を電源部３から取り外した状態で、電源用電池２４を所定の充電器へセットすることにより充電可能である。なお、図２に示すように、電池収容部２３Ａの側面に電池カバー２９Ａを着脱自在に設け、電源用電池２４を電源部３から取り外すようにしてもよい。
【００６２】
電解部２でオゾン水を生成するためには、所定電圧以上の電力がプラス電極６Ａとマイナス電極６Ｂへ印加されることが必要である。このため、電力電源用電池２４は、複数の電池を直列接続すれば高い電圧が得られるが、携帯用電解水噴霧器１が大型化するため、本発明では、単３または単４の再充電可能な１．２ボルト〜１．５ボルトの２次電池を１個使用し、この電源用電池２４の電圧を昇圧回路２５Ａによって昇圧して電極６に所定電圧（実施例では、５．５ボルト〜５．６ボルト）を印加する。制御回路部２５は、電解室５Ｓ内での除菌用オゾン水の生成に必要な電圧を電極６へ印加するために、電源用電池２４を電源として、電源用電池２４の電圧を所定の電圧（実施例では、５．５ボルト〜５．６ボルト）まで昇圧するための昇圧回路２５Ａを備え、且つ、スイッチ２７をＯＮしたときから電池２４の電力を電極６へ供給する時間を制限するタイマ回路２５Ｂを備えている。
【００６３】
携帯用電解水噴霧器１において、電源用電池２４の電力を電極６へ供給する方式として、タイマ回路を設けずに、使用者が携帯用電解水噴霧器１を使用する際にスイッチ２７をＯＮし、使用が終わったときスイッチ２７をＯＦＦするようにすることも可能であるが、もし、スイッチ２７をＯＦＦし忘れたときは、電池２４の電力が電極６へ供給され続けるため、所謂電池２４切れの状態になり易い。本発明では、このようなことを防止するために、スイッチ２７として、操作部２７Ｐを押圧したときＯＮし押圧を解除すれば自動ＯＦＦする自動復帰式の押圧式スイッチを採用し、スイッチ２７のＯＮからタイマ回路が作動し、所定時間（実施例では１０秒）だけ電池２４の電力を電極６へ供給するようにしている。
【００６４】
上記のように、昇圧回路によって電解室５Ｓ内での除菌用オゾン水の生成に必要な電圧を電極６へ印加するため、電源用電池２４は１．２Ｖ〜１．５Ｖの単３または単４電池が使用でき、小型化となる。また、スイッチ２７をＯＮしたときから所定時間（実施例では１０秒）のみ電極６に通電することによって、除菌の必要時のみ電解水を生成するため、電池２４の寿命を数年に亘るように長く保つことができる。
【００６５】
本発明の携帯用電解水噴霧器１は、ハンドバッグ等に入れて持ち歩く場合の便利さのために、外観筒状をなす。その一つの実施形態を図１４に示す。これにおいて、携帯用電解水噴霧器１は、外形寸法において、透明アクリルで成形した筒状水タンク部２と電源部３が直径２２ｍｍの円筒形であり、ノズルカバー１８は、直径１７ｍｍの円筒形であり、全体の長さが１６３ｍｍであり、電源部３の長さが７８ｍｍ、タンク部２の長さが５３ｍｍ、保護体２０の長さが６ｍｍ、ノズルカバー１８の突出長さが２６ｍｍである。
【００６６】
そして、図９に示すように、プラス電極６Ａとマイナス電極６Ｂが交互配置となるよう３枚の板状電極が対向配置され、中間の板状電極をプラス電極６Ａとし、その両側の板状電極をマイナス電極６Ｂとし、この３枚の電極の外周を合成樹脂製の熱収縮チューブで覆って筒状体５Ｐを形成する。電極６に印加される電圧は、１．５ボルトの単３電池２４を昇圧回路によって昇圧して５．５ボルト〜５．６ボルトとしている。実質的に電解水を生成するプラス電極６Ａとマイナス電極６Ｂの対向する面の面積をそれぞれ１．５平方センチメートルとし、プラス電極６Ａとマイナス電極６Ｂの間隔を０．１ｍｍ〜１ｍｍの範囲内での所定の間隔とすることにより、電解部５の小型化を図りつつ、所定の濃度のオゾン水と、１回の所定の噴霧量（実施例では、０．１ミリリットル）を確保している。
【００６７】
この場合、タンク部２内に満タンで貯留される水の量は、１回の噴霧量の数十倍の１０ミリリットルであり、満タン時に電解部５の電解室５Ｓに貯留される水の量は、１回の噴霧量よりも少ない０．０６ミリリットルである。このため、１回の噴霧操作によって、電解室５Ｓ内の電解水の量よりも若干多い量の水が、タンク部２内から流入口５Ｅを通して電解部５内へ押し込まれ、電解室５Ｓ内の電解水の全量が電解室５Ｓから噴霧機構部４へ押し出される。そのため、プラス電極６Ａとマイナス電極６Ｂとの間の電解水が完全に入れ替わると同時に、マイナス電極６Ｂの表面の気泡も一緒に上方の噴霧機構部４へ流れ、引き続いて行なわれる噴霧では、気泡を含まない正規の電解水をノズル４Ａから噴霧することができる。
【００６８】
なお、電池２４としては、出力が大きく、一回の満充電によって数ヶ月乃至数年に亘って使用可能な長寿命のものであれば構わない。
【００６９】
タンク部２の内部に貯留される水の量等を透視できるようにするために、また、意匠効果向上のために、タンク部２内には筒状水タンク部２を取り囲むように通水孔５０Ａを有する円筒状装飾筒５０が収容されている。円筒状装飾筒５０は、水タンク部２内の水が自由に流通するための多数の通水孔５０Ａを形成したステンレスで構成されたパンチングメタル等で構成される。また、円筒状装飾筒５０を通して電解部５を透視できるような円筒状装飾筒５０とするか、円筒状装飾筒５０を設けない状態において、筒状水タンク部２を透明アクリルで形成し、電解部５の筒状体５Ｐを透明材で形成することにより、タンク部２と電解部５に貯留される水の量等を透視できるようになる。なお、電源部３の外面の金属製装飾体２８は、意匠効果のために外面が化学的に梨地処理されたアルミニウムで形成した不透明材である。
【００７０】
なお、携帯用電解水噴霧器１は、ハンドバッグ等に入れて持ち歩き可能な形態であるが、タンク部２の外面上部にストラップ係止用のリング５１を設けており、使用者が任意のストラップを取り付け可能としている。
【００７１】
上記の場合は、電解部５でオゾンを発生してオゾン水である電解水を生成するものであるが、次亜塩素酸発生用の電極を用いれば、電極間に塩化物イオンを含む水を貯留させ、この水を電気分解して次亜塩素酸を発生させて、次亜塩素酸水である電解水を生成するものとすることもできる。次亜塩素酸水を生成する場合は、塩化物イオンを含む上水道水等、使用する水が制限されるため、水の補給場所の制限を受けるが、オゾン水を生成する場合は水の種類は問わないため、水がある場所であればどこでも補給できることとなり、使用上の便利さが向上したものとなる。また、アルコール等の消毒液を使用する場合は、補給用の消毒液を持ち歩く必要があるが、オゾン水を生成する場合はその必要がなく、水がある場所であればどこでも補給できるものとなる。
【００７２】
携帯用電解水噴霧器１は、長期間使用しているうちに、電極６の表面にカルシウム等のスケールが付着して、電気分解作用が阻害されるため、時々、噴霧機構部４をタンク部２から外し、タンク部２内をクエン酸によって洗浄することにより、電極６の表面に付着したカルシウム等のスケールを取り除くことができる。
【産業上の利用可能性】
【００７３】
本発明に係る携帯用電解水噴霧器は、上記実施例に示した構成に限定されず、種々の形態のものに適用できるものであり、本発明の技術範囲において種々の形態を包含するものである。
【符号の説明】
【００７４】
１・・・・・携帯用電解水噴霧器
２・・・・・筒状水タンク部
２Ａ・・・・筒状水タンク部の上面開口
３・・・・・電源部
４・・・・・プッシュ式噴霧機構部
４Ａ・・・・ノズル
４Ｐ・・・・プッシュ部
５・・・・・筒状電解部
５Ａ・・・・筒状電解部の上面開口
５Ｅ・・・・流入孔
５Ｐ・・・・筒状体
５Ｓ・・・・電解室
６・・・・・電極
６Ａ・・・・プラス電極またはマイナス電極
６Ｂ・・・・プラス電極またはマイナス電極
７・・・・・電解水導出路
７Ａ・・・・電解水導出路
７Ｂ・・・・電解水導出路
８・・・・・コイルバネ
９・・・・・空気導入孔
１０・・・・環状パッキン
１１・・・・ネジ結合部
１２・・・・環状パッキン
１３・・・・連通路部材
１５・・・・空気の連通路（水補給開口）
１６・・・・ポンプ室
１７Ａ・・・下部支持部
１７Ｂ・・・上部支持部
１８・・・・ノズルカバー
１９・・・・環状パッキン
２０・・・・保護体
２１・・・・環状パッキン
２５・・・・制御回路部
２６・・・・ＬＥＤ
２７・・・・スイッチ
５０・・・・円筒状装飾筒
５０Ａ・・・通水孔
５１・・・・リング
５２・・・・選択膜
【図１】
2011092883.tif 000003
【図２】
2011092883.tif 000004
【図３】
2011092883.tif 000005
【図４】
2011092883.tif 000006
【図５】
2011092883.tif 000007
【図６】
2011092883.tif 000008
【図７】
2011092883.tif 000009
【図８】
2011092883.tif 000010
【図９】
2011092883.tif 000011
【図１０】
2011092883.tif 000012
【図１１】
2011092883.tif 000013
【図１２】
2011092883.tif 000014
【図１３】
2011092883.tif 000015
【図１４】
2011092883.tif 000016